(57)【要約】【課題】改善された異常監視および電力供給遮断処理構成をもつ電源装置を提供する。【解決手段】動作検出部、異常監視部等に対する電力を待機用電源回路から出力する構成とし、動作検出部において電源回路の動作状態を監視し、異常が発生を検出した際に、異常監視部の判定に基づいて交流電源の電源回路への供給停止を行なう。あるいは、異常発生部位に応じて、各電源回路の前段に設けた高速応答可能なスイッチ素子を選択的に動作させる。本構成により、即座に電源回路個別の電力供給の停止が可能となり、より強固な安全性維持が実現される。各電源回路前段に設けるスイッチ素子をリレースイッチ、ＦＥＴ等の高速応答性を持つ素子によって構成し、異常検出から電力遮断での時間の短縮を可能とした。【選択図】  図１
2004274888.tif 000002
【特許請求の範囲】
【請求項１】
負荷に対する電力供給を行なう電源装置であり、
前記電源装置は、
各々が異なる負荷に対する電力供給を行う複数の電源回路と、
電源装置に対する電力の供給および停止の切り替えを行うリセットスイッチと、
前記複数の電源回路各々に対応して設けられた個々の電源回路に対する電力の供給および停止の切り替えを行う複数のスイッチ素子と、
電源装置の複数の位置に設置された異常を検出する複数の動作検出部と、
前記動作検出部からの検出信号に基づいて異常判定処理を実行する異常監視部と、
前記異常監視部からの制御信号に基づいて前記リセットスイッチを駆動するリセットスイッチ駆動部と、
前記異常監視部からのスイッチ素子を特定した制御信号に基づいて前記複数のスイッチ素子を選択的に制御するスイッチ制御回路と、
を有することを特徴とする電源装置。
【請求項２】
前記複数の電源回路は、主電源回路としての通常動作用電源回路と、副電源回路としての待機用電源回路とを含み、
前記待機用電源回路は、通常動作停止時における制御を実行する前記負荷としてのコントローラに対する電力供給を実行するとともに、前記複数の動作検出部、異常監視部、リセットスイッチ駆動部、およびスイッチ制御回路に対する電力供給を行う構成であることを特徴とする請求項１に記載の電源装置。
【請求項３】
前記異常監視部は、前記複数の動作検出部からの検出信号に基づいて異常発生部位を判定し、判定した異常発生部位に基づいて、前記リセットスイッチまたは、前記複数のスイッチ素子のいずれかを選択的に制御する制御信号を前記リセットスイッチ駆動部、または前記スイッチ制御回路に出力する構成であることを特徴とする請求項１に記載の電源装置。
【請求項４】
前記動作検出部は、漏電検出部、電圧検出部、電流検出部のうち少なくとも１つを含む構成であることを特徴とする請求項１に記載の電源装置。
【請求項５】
前記動作検出部は、電圧検出部および電流検出部を含み、前記電圧検出部および電流検出部は、前記複数の電源回路および該電源回路から電力の供給される負荷の少なくともいずれかに対応して設定された構成であることを特徴とする請求項１に記載の電源装置。
【請求項６】
前記動作検出部は、温度検出素子、におい検出素子、音検出素子、煙検出素子、計時変化検出素子のいずれかを含む構成であることを特徴とする請求項１に記載の電源装置。
【請求項７】
前記リセットスイッチは、前記電源装置に対する電力入力部に設けられた構成であることを特徴とする請求項１に記載の電源装置。
【請求項８】
前記複数のスイッチ素子は、前記スイッチ制御回路からの入力信号に基づく高速応答可能な半導体素子によって構成されていることを特徴とする請求項１に記載の電源装置。
【請求項９】
前記異常監視部は、前記複数の動作検出部からの検出信号に基づいて異常発生部位を判定し、異常発生部位情報を含む異常情報を電源装置に前記負荷として接続されたコントローラに出力する構成であることを特徴とする請求項１に記載の電源装置。
【請求項１０】
前記個々の電源回路に対する電力の供給および停止の切り替えを行う複数のスイッチ素子は、前記スイッチ制御回路からの信号によって動作するとともに、電源装置に接続されたコントローラからの信号によっても動作する構成であることを特徴とする請求項１に記載の電源装置。
【請求項１１】
前記複数の電源回路には、
入力交流電源を直流電圧に変換する電源回路、および入力交流電源に基づいて調整交流電力を出力するＡＣ電力調整回路とを含み、
前記スイッチ素子は、ＡＣ電力調整回路の前段にも設置され、
前記動作検出部は、前記ＡＣ電力調整回路を含む複数の電源回路個々に対応して
設定され、
前記異常監視部は、前記動作検出部からの検出信号に基づいて異常の発生位置を判定し、判定した異常発生位置に基づいて、前記リセットスイッチまたは複数のスイッチ素子のいずれかを選択的に動作させる制御信号を前記リセットスイッチ駆動部または、前記スイッチ制御回路に出力する構成であることを特徴とする請求項１に記載の電源装置。
【請求項１２】
前記複数の電源回路は、待機用電源回路と、通常動作用電源回路とを含み、
前記待機用電源回路、および前記通常動作用電源回路の各々が、前記複数の動作検出部、異常監視部、リセットスイッチ駆動部、およびスイッチ制御回路に対する電力供給構成を有することを特徴とする請求項１に記載の電源装置。
【請求項１３】
前記複数の電源回路は、待機用電源回路と、通常動作用電源回路と、入力交流電源に基づいて調整交流電力を出力するＡＣ電力調整回路とを含み、
前記待機用電源回路、前記通常動作用電源回路、およびＡＣ電力調整回路の各々が、前記複数の動作検出部、異常監視部、リセットスイッチ駆動部、およびスイッチ制御回路に対する電力供給構成を有することを特徴とする請求項１に記載の電源装置。
【発明の詳細な説明】
【０００１】
【発明の属する技術分野】
本発明は電源装置に関する。特に電源回路の動作状態を監視し、異常の発生を検出した際の入力遮断構成を持つ電源装置に関する。
【０００２】
【従来の技術】
複写機、プリンタ等における電源装置においては、近年、安全性向上の要求が年々厳しくなってきている。電源装置には、従来から発煙発火や感電などの危険に結びつく異常動作に対する保護回路が設けられている。保護回路は、各種の異常を検知して、電源装置の動作停止処理を行ったり、商用電源としての交流電源からの入力をヒューズやリレーで遮断する構成が一般的である。
【０００３】
さらに、特に大きな電力を消費する例えば複写装置、プリンタ、ＦＡＸ、スキャナなどの各種画像処理装置では、感電防止を目的とした漏電対策の要求が高まっている。漏電対策のため、多くの場合、画像処理装置などの機器が設置される設備には漏電ブレーカが取り付けられている。しかし、ブレーカにより各種の情報処理装置の電源を一斉に遮断することは、コンピュータよるネットワーク化が急速に進んだ環境においては、重大なデータ損失を発生させる場合があり好ましくない。そこで、各機器に専用の漏電ブレーカを搭載した構成に対する要求が高まっている。
【０００４】
一方、省エネルギーを目的としたパワーマネジメントを行うために、電源装置を複数搭載し、必要な電力のみを効率よく供給システムを搭載した機器が多くなってきている。例えば、複写機、ファクシミリ装置、プリンタなどの画像形成装置においては、通電されているほとんどの時間が待機状態であり、省エネルギーの観点から待機時の電力消費を低減することが大きな課題となっている。
【０００５】
電力消費を低減した画像形成装置の電源構成として、待機時に必要となる負荷例えば画像形成装置の制御を行うコントローラに電力を供給するための第１の電源装置と、モーター等画像形成等に必要な負荷へ電力を供給するための第２の電源装置を個別に設定した構成、すなわち、コントローラに対する電源と、画像形成処理プロセスを実行する機構に対する電源とを別々に設定した構成が提案されている。
【０００６】
このような複数電源構成とした画像形成装置においては、ユーザが、プリント指示を要求した場合、第１の電源、第２の電源の両方から画像形成処理に必要な負荷へ電力が供給される。しかし、ユーザからのプリント指示が無くなると、待機時の電力低減を目的に、第２の電源から負荷（画像形成処理プロセス実行機構）への電力供給を遮断し、コントローラに対する第１の電源装置のみを待機用電源として供給し、ユーザ指示に応じた処理が可能となる。
【０００７】
ちなみに第２の電源装置から負荷への電力供給遮断を実行する構成としては、第１の電源装置によって駆動するスイッチング素子の動作停止や、リレーやＦＥＴ等のスイッチ手段を第１の電源装置によって駆動して入力を遮断する構成が提案されている。さらに待機時の消費電力低減を目的として、待機用電源の効率の向上についても様々な工夫がなされている。
【０００８】
図７を参照して、待機用電源回路及び通常動作用電源さらに定着装置等の交流（ＡＣ）負荷から成る従来の一般的な画像形成装置の電源遮断構成について説明する。
【０００９】
入力端子５００は、漏電ブレーカ５０１、電源スイッチ５０２を介して待機用の電源回路ａ５１１に接続されると共にリレーなどのスイッチ素子５０３、スイッチ素５０４を介してそれぞれ動作用電源回路ｃ５１２と、ＡＣ電力調整回路５１３を介してＡＣ負荷に接続される。
【００１０】
電源回路ａ５１１は、例えば直流電圧Ｖｏｕｔ１をコントローラ５２０など機器の制御回路部に供給する。電源回路ｃ５１２は、直流電圧Ｖｏｕｔ２を出力し、駆動系装置などへ電力を供給する。電源スイッチ５０２がＯＮされると漏電ブレーカを介して各電源回路に交流電力が供給され、動作を開始する。
【００１１】
電源回路ａ５１１から出力される直流電圧Ｖｏｕｔ１が機器の制御を行うコントローラ５２０に供給されコントローラが動作を開始する。コントローラ５２０は、機器の動作に応じて信号を出力するが、その内の一つに電源回路ｂ５１２に対する入力電源をＯＮ／ＯＦＦするスイッチ素子５０３や、ＡＣ負荷に電力を供給するＡＣ電力調整回路５１３に対する入力電源をＯＮ／ＯＦＦするスイッチ素子５０４への制御信号出力がある。
【００１２】
コントローラ５２０は、安全性確保や省エネを目的に入力の接続・遮断を行う。例えば、待機時には省エネを目的に待機用電源回路（電源回路ａ５１１）のみの電源入力を接続し、その他への入力を遮断する。また、各種異常状態を異常検出部５２１において監視し、例えば、ＡＣ負荷である定着装置が異常温度上昇となった場合等にスイッチ素子５０４をＯＦＦにすることでＡＣ負荷に対する入力を遮断し、機器の動作を停止する。同時に機器の異常を表示してその情報を記憶し、修理時の参考情報とする。
【００１３】
しかし、従来の電源装置構成においては、様々な省電力型素子の使用により電源装置自体の電力損失は小さくなってきているが、安全回路における消費電力、特に漏電ブレーカの電力損失比率が大きくなってきている。
【００１４】
機器の安全性を監視するために、近年のプリンタ、複写機等の画像処理装置の電源装置における安全回路は近年、様々な機能が付加されており、それに伴い消費電力が増大する傾向にある。このような現状において、さまざまな安全基準を達成するための監視回路および電力遮断等の制御回路を消費電力の増加なしに確保することが課題となってきている。
【００１５】
さらに、商用交流電源を入力とし、コントローラと画像処理部に対する２電源構成を持つ電源装置においては、上述したように、通常動作用の電源回路はスイッチを介して商用交流電源と接続し、コントローラの出力するＯＮ／ＯＦＦ信号によりスイッチを導通／遮断して交流電源の供給／遮断を行っているが、通常動作用の電源回路に何らかの異常が発生して電源回路が正常動作できなくなった場合、商用交流電源が電源回路に入力されつづける危険性がある。
【００１６】
また、コントローラにより何らかの異常検出に基づいて電源入力が遮断された後、ユーザがスイッチを手動により操作して交流電源を強制的に接続した場合、交流電源の過電圧などの異常や電源回路内部の異常が発生しているにもかかわらず、交流電源が入力され、その結果、電源回路のある特定部に電気的ストレスがかかり、故障により発煙・発火に至る可能性がある。
【００１７】
なお、こうした対策として電源装置において、想定されるあらゆる故障に対して必要充分なマージンをもった素子や部品を使用することが考えられるが、この場合、定格負荷容量に対して余裕を持った回路構成となるため、電源装置としてサイズが大きくなり、重量が増え、コストが高くなるという問題が発生する。
【００１８】
また、交流入力段にリセット機能付のスイッチを使うことにより安全対策を講じる構成もあるが、一般的にリセット機能付のスイッチは、プランジャ等により動作させるものであり、その特性上、応答速度がおそく、過電流や発熱などの緊急性の高い異常時には間に合わない危険性があった。
【００１９】
さらに、従来構成においては、コントローラが各電源のＯＮ／ＯＦＦをつかさどっているため、ソフトウェアの暴走などでその安全性が確保できない場合があり、このソフトウェアエラーについても課題となっている。また、電源装置とコントローラ部は機器の内部において物理的に分離されている場合が多く、接続するためのハーネスやコネクタ部の故障により、電源回路の遮断情報がコントローラに正しく伝達されない場合が発生するなどの問題もあった。
【００２０】
【発明が解決しようとする課題】
上述したように、複写機・プリンタへの省エネ要求は高まるばかりで、複写機・プリンタにおける待機電力は、さらに減少させるべきであるとされている。しかしながら、現実の機器では電源装置の漏電ブレーカ、その他の安全維持のための監視回路等において、多くの電力を消費しているのが現状であり、安全性などの必要機能を犠牲にせずに漏電ブレーカを含む電源装置の損失を低減することが必須となっている。
【００２１】
また、漏電ブレーカや電力変換装置など、各構成部専用の部品をそれぞれ組み合わせて使用した装置構成とすると、漏電ブレーカと電力変換装置の各々に制御電圧用電源生成回路を構成することが必要となり、コスト面で見ても無駄が発生している。
【００２２】
本発明は、この様な問題に対処するためになされたもので、安全性と省エネ性能の向上をはかった電源装置を提供することを目的とする。すなわち、漏電ブレーカ他の安全維持のための監視回路、電力遮断回路等の構成を改善し、高い安全性と電力消費の低減を可能とする省エネに優れた電源装置を提供することを目的とする。
【００２３】
【課題を解決するための手段】
本発明の第１の側面は、負荷に対する電力供給を行なう電源装置であり、前記電源装置は、各々が異なる負荷に対する電力供給を行う複数の電源回路と、電源装置に対する電力の供給および停止の切り替えを行うリセットスイッチと、前記複数の電源回路各々に対応して設けられた個々の電源回路に対する電力の供給および停止の切り替えを行う複数のスイッチ素子と、電源装置の複数の位置に設置された異常を検出する複数の動作検出部と、前記動作検出部からの検出信号に基づいて異常判定処理を実行する異常監視部と、前記異常監視部からの制御信号に基づいて前記リセットスイッチを駆動するリセットスイッチ駆動部と、前記異常監視部からのスイッチ素子を特定した制御信号に基づいて前記複数のスイッチ素子を選択的に制御するスイッチ制御回路と、を有することを特徴とする電源装置にある。
【００２４】
本構成によれば、電源装置全体に対する電力供給遮断、スイッチ素子を選択的に動作させて各電源回路を選択して電力供給遮断が可能となり、漏電、過電圧、過電流、その他、各種の異常状態に応じた適切な処置が可能となる。
【００２５】
さらに、本発明の電源装置の一実施態様において、前記複数の電源回路は、主電源回路としての通常動作用電源回路と、副電源回路としての待機用電源回路とを含み、前記待機用電源回路は、通常動作停止時における制御を実行する前記負荷としてのコントローラに対する電力供給を実行するとともに、前記複数の動作検出部、異常監視部、リセットスイッチ駆動部、およびスイッチ制御回路に対する電力供給を行う構成であることを特徴とする。
【００２６】
本構成によれば、動作検出部、異常監視部、リセットスイッチ駆動部、およびスイッチ制御回路に対する電力供給を行う電力供給部を独立して設けることが不要となり、コストダウンおよび省エネルギーが実現される。
【００２７】
さらに、本発明の電源装置の一実施態様において、前記異常監視部は、前記複数の動作検出部からの検出信号に基づいて異常発生部位を判定し、判定した異常発生部位に基づいて、前記リセットスイッチまたは、前記複数のスイッチ素子のいずれかを選択的に制御する制御信号を前記リセットスイッチ駆動部、または前記スイッチ制御回路に出力する構成であることを特徴とする。
【００２８】
本構成によれば、異常発生部位に基づく選択的な電力供給停止が実現され、過剰な電力供給停止に伴うトラブルの発生等を防止することが可能となる。
【００２９】
さらに、本発明の電源装置の一実施態様において、前記動作検出部は、漏電検出部、電圧検出部、電流検出部のうち少なくとも１つを含む構成であることを特徴とする。
【００３０】
本構成によれば、漏電検出、電圧検出、電流検出等に基づく異常検出を確実に判定可能となり、安全性を高めた電源装置が実現される。
【００３１】
さらに、本発明の電源装置の一実施態様において、前記動作検出部は、電圧検出部および電流検出部を含み、前記電圧検出部および電流検出部は、前記複数の電源回路および該電源回路から電力の供給される負荷の少なくともいずれかに対応して設定された構成であることを特徴とする。
【００３２】
本構成によれば、電圧検出、電流検出等に基づく異常検出を電源回路毎に判定可能となり、電源回路個別の対応が可能となる。
【００３３】
さらに、本発明の電源装置の一実施態様において、前記動作検出部は、温度検出素子、におい検出素子、音検出素子、煙検出素子、計時変化検出素子のいずれかを含む構成であることを特徴とする。
【００３４】
本構成によれば、各電源回路および負荷の構成に応じて最適な異常検出処理および安全対策が可能となる。
【００３５】
さらに、本発明の電源装置の一実施態様において、前記リセットスイッチは、前記電源装置に対する電力入力部に設けられた構成であることを特徴とする。
【００３６】
本構成によれば、異常発生時に電源装置に対する入力を大元から遮断可能となり、より安全な電力遮断が実現される。
【００３７】
さらに、本発明の電源装置の一実施態様において、前記複数のスイッチ素子は、前記スイッチ制御回路からの入力信号に基づく高速応答可能な半導体素子によって構成されていることを特徴とする。
【００３８】
本構成によれば、各電源回路個別の電力供給ストップを高速に実施でき、異常検出から異常部位に対する電力供給停止を即座に実行可能となる。
【００３９】
さらに、本発明の電源装置の一実施態様において、前記異常監視部は、前記複数の動作検出部からの検出信号に基づいて異常発生部位を判定し、異常発生部位情報を含む異常情報を電源装置に前記負荷として接続されたコントローラに出力する構成であることを特徴とする。
【００４０】
本構成によれば、異常監視部からの情報に基づいて異常発生部位のメッセージ出力等の処理が可能となる。
【００４１】
さらに、本発明の電源装置の一実施態様において、前記個々の電源回路に対する電力の供給および停止の切り替えを行う複数のスイッチ素子は、前記スイッチ制御回路からの信号によって動作するとともに、電源装置に接続されたコントローラからの信号によっても動作する構成であることを特徴とする。
【００４２】
本構成によれば、コントローラ側の監視プログラムの処理も併せて実行され、より強固な監視および安全対策が可能となる。
【００４３】
さらに、本発明の電源装置の一実施態様において、前記複数の電源回路には、入力交流電源を直流電圧に変換する電源回路、および入力交流電源に基づいて調整交流電力を出力するＡＣ電力調整回路とを含み、前記スイッチ素子は、ＡＣ電力調整回路の前段にも設置され、前記動作検出部は、前記ＡＣ電力調整回路を含む複数の電源回路個々に対応して
設定され、前記異常監視部は、前記動作検出部からの検出信号に基づいて異常の発生位置を判定し、判定した異常発生位置に基づいて、前記リセットスイッチまたは複数のスイッチ素子のいずれかを選択的に動作させる制御信号を前記リセットスイッチ駆動部または、前記スイッチ制御回路に出力する構成であることを特徴とする。
【００４４】
本構成によれば、ＡＣ電力供給回路を持つ構成においても電源回路個別の対応、安全確保が可能となる。
【００４５】
さらに、本発明の電源装置の一実施態様において、前記複数の電源回路は、待機用電源回路と、通常動作用電源回路とを含み、前記待機用電源回路、および前記通常動作用電源回路の各々が、前記複数の動作検出部、異常監視部、リセットスイッチ駆動部、およびスイッチ制御回路に対する電力供給構成を有することを特徴とする。
【００４６】
本構成によれば、複数の電源回路中のいずれかに対する電力供給が停止された場合でも異常検出および各スイッチのＯＮ／ＯＦＦ制御が可能となりより高い安全性が確保される。
【００４７】
さらに、本発明の電源装置の一実施態様において、前記複数の電源回路は、待機用電源回路と、通常動作用電源回路と、入力交流電源に基づいて調整交流電力を出力するＡＣ電力調整回路とを含み、前記待機用電源回路、前記通常動作用電源回路、およびＡＣ電力調整回路の各々が、前記複数の動作検出部、異常監視部、リセットスイッチ駆動部、およびスイッチ制御回路に対する電力供給構成を有することを特徴とする。
【００４８】
本構成によれば、複数の電源回路中のいずれかに対する電力供給が停止された場合でも異常検出および各スイッチのＯＮ／ＯＦＦ制御が可能となりより高い安全性が確保される。
【００４９】
【発明の実施の形態】
以下、本発明の電源装置の詳細について図面を参照しながら説明する。
【００５０】
［実施例１］
図１は、本発明の実施例１に係る電源装置の構成を示すブロック図である。この第１の実施の形態の電源装置は、例えば複写機、プリンタ等の画像形成装置に内蔵される。
【００５１】
画像形成装置の入力端子１０１は、交流電源に接続されている。交流電源は、電源装置１１０に構成された２つの電源回路部、すなわち主電源回路としての通常動作用電源回路と、副電源回路としての待機用電源回路に供給され、これらの電源回路を介して様々な負荷に対する電力が供給される。
【００５２】
電源装置１１０は、コントローラ１０３等に対する電力供給を行う電源回路部ａ（待機用電源）１１１と、画像形成処理プロセスを実行する画像処理部に対する電力供給を行う電源回路部ｂ（通常動作用電源）１１２を有し、これら各電源回路を介して各負荷（図示せず）に電力が供給される。電源回路部ａ（待機用電源）１１１、電源回路部ｂ（通常動作用電源）１１２は、トランス、トランスの出力を設定するためのスイッチング素子、ＤＣ−ＤＣコンバータ等で構成され、負荷に応じた出力制御を行う。電源回路部ａ（待機用電源）１１１の出力する直流電圧Ｖｏｕｔ１は、コントローラ１０３に供給される。
【００５３】
図１に示す電源装置は、省エネルギーを目的としたパワーマネジメントを行うために、電源装置を複数搭載した構成であり、待機時に必要となる負荷例えば画像形成装置の制御を行うコントローラに電力を供給する電源回路部ａ（待機用電源）１１１と、モーター等画像形成等に必要な負荷へ電力を供給する電源回路部ｂ（通常動作用電源）１１２とを持つ複数の電源回路構成である。
【００５４】
例えばユーザーが、プリント指示を要求した場合、第１の電源、すなわち電源回路部ａ（待機用電源）１１１と、第２の電源、すなわち電源回路部ｂ（通常動作用電源）１１２の両方から画像形成処理に必要な負荷へ電力を供給し、ユーザーからの指示が無くなると、待機時の電力低減を目的に、第２の電源（電源回路部ｂ（通常動作用電源）１１２）から負荷への電力供給を遮断し、第１の電源（電源回路部ａ（待機用電源）１１１）のみに電力を供給する。
【００５５】
第２の電源（電源回路部ｂ（通常動作用電源）１１２）から負荷への電力供給遮断処理は、第１の電源（電源回路部ａ（待機用電源）１１１）から電力の供給されるコントローラ１０３の出力する信号に基づいて、リレーやＦＥＴ等のスイッチ手段からなるスイッチング素子１１４をオフする処理によって実行される。
【００５６】
さらに、本発明の電源装置は、動作検出部１２０において各種の動作状態、異常状態を検出し、異常監視部１３２において、動作検出部１２０からの監視情報を入力し、入力情報に基づいてリセットスイッチ駆動回路１３１からの出力をリセットスイッチ１０２に入力して、交流電源を遮断する処理と、異常監視部１３２において、動作検出部１２０からの監視情報を入力し、入力情報に基づいてスイッチＯＮ／ＯＦＦ回路（スイッチ制御回路）１３３からの出力をスイッチ素子１１３、スイッチ素子１１４に入力して、第１の電源（電源回路部ａ（待機用電源）１１１）または第２の電源（電源回路部ｂ（通常動作用電源）１１２）への交流電源を選択的に遮断する処理を可能とした構成を持つ。
【００５７】
動作検出部１２０は、図に示すように、漏電検出部１２１、電圧検出部１２３、電流検出部１２２、異常検出部１２４を含む構成であり、これらの検出部、少なくとも電圧検出部１２３、電流検出部１２２、異常検出部１２４は、複数の電源回路１１１，１１２または電源回路から電力の供給される負荷に対応して個別に複数設定される。異常監視部１３２は、動作検出部１２０からの入力信号に基づいて異常発生部位を判定し、判定した異常発生部位に基づいて、リセットスイッチ１０２または、複数のスイッチ素子１１３，１１４のいずれかを選択的に動作させる制御信号をリセットスイッチ駆動回路１３１、またはスイッチＯＮ／ＯＦＦ回路１３３に出力する。なお、異常検出部１２４は、温度検出素子、におい検出素子、音検出素子、煙検出素子、素子の計時変化状態を検出する計時変化検出素子等によって構成され、各異常の発生可能性のある部位に取り付けられる。
【００５８】
動作検出部１２０、異常監視部１３２、リセットスイッチ駆動回路１３１、およびスイッチＯＮ／ＯＦＦ回路１３３に対する電力は、第１の電源（電源回路部ａ（待機用電源）１１１）のＤＣ出力部１１５から供給される。
【００５９】
次に、図１に示す電源装置１１０の内部構成を説明する。動作検出部１２０には、図に示すように漏電検出部１２１、電流検出部１２２、電圧検出部１２３、温度検出など異常を検出する異常検出部１２４が設けられている。以下、各検出部について説明する。
【００６０】
漏電検出部１２１は、１次回路に感電の危険となる漏れ電流が発生しているか否かを検出する回路である。電源回路に供給されるＡＣ電源の行きの電流と帰りの電流との電流差（例えば、人が活電部に触れることによって生じた漏れ電流が電流差になる）を零相変流器（ＺＣＴ）で検知し、更に異常監視部における増幅器（ＡＭＰ）で増幅し、ある基準を超えた時に異常漏電と判断する。
【００６１】
漏電検出信号は、異常監視部１３２に入力され、異常監視部１３２は、リセットスイッチ駆動回路１３１に動作信号を出力し、リセットスイッチ駆動回路１３１は、リセットスイッチ１０２をＯＦＦして、交流電源の入力を遮断する。あるいは、異常監視部１３２は、スイッチＯＮ／ＯＦＦ回路１３３に動作信号を出力し、スイッチＯＮ／ＯＦＦ回路１３３は、各電源回路の入力段に設けたスイッチ素子１１３，１１４をＯＦＦし、第１の電源（電源回路部ａ（待機用電源）１１１）および第２の電源（電源回路部ｂ（通常動作用電源）１１２）への交流電源を遮断する。リセットスイッチ駆動回路１３１は、異常監視部１３２からのＯＮ／ＯＦＦ制御信号に基づいてリセットスイッチ１０２を駆動し、スイッチＯＮ／ＯＦＦ回路１３３は、異常監視部１３２からのスイッチ素子を特定したＯＮ／ＯＦＦ制御信号に基づいて複数のスイッチ素子を選択的に動作させる。
【００６２】
このように、各電源回路の入力段のスイッチ素子１１３，１１４もＯＦＦすることにより、リセットスイッチ１０２をＯＦＦするだけよりも速断性を増すことができるため、安全性を向上することができる。リセットスイッチ１０２は例えばプランジャの動作により接続を遮断する構成であるため、異常監視部１３２からの出力信号をリセットスイッチ駆動回路１３１が受信してから、実際にリセットスイッチ１０２が動作して入力が遮断するまでに時間を要するが、各電源回路の入力段のスイッチ素子１１３，１１４は、リレーやＦＥＴ等のスイッチ手段からなり、異常監視部１３２からの出力信号をスイッチＯＮ／ＯＦＦ回路１３３が受信してから、実際にスイッチ素子１１３，１１４をオフするまでの期間が短くて済み、異常検出後、即座に第１の電源（電源回路部ａ（待機用電源）１１１）および第２の電源（電源回路部ｂ（通常動作用電源）１１２）への交流電源を遮断することができる。
【００６３】
なお、動作検出部１２０および異常監視部１３２、リセットスイッチ駆動回路１３１の動作電圧は、電源回路部ａ（待機用電源）１１１のＤＣ出力部１１５から電力が供給される。従来の電源装置においては、例えば漏電検出部に対しては、入力電圧から直接電力を常時供給する構成が一般的であったが、本構成においては、電源回路部ａ（待機用電源）１１１のＤＣ出力部１１５から電力を供給する構成としたので、漏電検出部等に対する独立した電力供給構成を持つことなく、構成の簡素化、および電力損失の大幅な削減が可能となる。
【００６４】
電圧検出部１２３は、電源回路への入力電圧を検出し、予め定められたある基準値を超えた時に過電圧と判断し、異常監視部１３２からリセットスイッチ駆動回路１３１に信号を出力し、リセットスイッチ１０２をＯＦＦする。あるいは、異常監視部１３２からスイッチＯＮ／ＯＦＦ回路１３３に動作信号を出力し、スイッチＯＮ／ＯＦＦ回路１３３が各電源回路の入力段に設けたスイッチ素子１１３，１１４をＯＦＦし、第１の電源（電源回路部ａ（待機用電源）１１１）および第２の電源（電源回路部ｂ（通常動作用電源）１１２）への交流電源を遮断する。リセットスイッチ駆動回路１３１は、異常監視部１３２からのＯＮ／ＯＦＦ制御信号に基づいてリセットスイッチ１０２を駆動し、スイッチＯＮ／ＯＦＦ回路１３３は、異常監視部１３２からのスイッチ素子を特定したＯＮ／ＯＦＦ制御信号に基づいて複数のスイッチ素子を選択的に動作させる。
【００６５】
各電源回路の入力段のスイッチ素子もＯＦＦすることにより、リセットスイッチをＯＦＦするだけよりも速断性を増すことができるのは漏電遮断と同様である。
【００６６】
なお、電圧検出部１２３は、電源回路の異常時に電圧が上昇する可能性のある各部分に設けられる。例えば第１の電源（電源回路部ａ（待機用電源）１１１）および第２の電源（電源回路部ｂ（通常動作用電源）１１２）の各出力部に設けることで、それぞれの電源回路の出力異常を個別に判断し、異常である電源回路の入力部に設けたスイッチ素子１１３，１１４のいずれか一方をＯＦＦし、第１の電源（電源回路部ａ（待機用電源）１１１）または第２の電源（電源回路部ｂ（通常動作用電源）１１２）への交流電源を選択的に遮断することが可能となる。
【００６７】
電流検出部１２２は、異常時に電流が増加する可能性のある回路部分の電流を検出し、異常検出部１２４は、例えば電源回路の異常時に温度が上昇する素子の温度を検出し、検出信号を入力する異常監視部１３２に異常信号が入力された場合に、異常監視部１３２からリセットスイッチ駆動回路１３１に信号を出力し、リセットスイッチ１０２をＯＦＦする。あるいは、異常監視部１３２からスイッチＯＮ／ＯＦＦ回路１３３に動作信号を出力し、スイッチＯＮ／ＯＦＦ回路１３３が各電源回路の入力段に設けたスイッチ素子１１３，１１４をＯＦＦし、第１の電源（電源回路部ａ（待機用電源）１１１）および第２の電源（電源回路部ｂ（通常動作用電源）１１２）への交流電源を遮断する。リセットスイッチ駆動回路１３１は、異常監視部１３２からのＯＮ／ＯＦＦ制御信号に基づいてリセットスイッチ１０２を駆動し、スイッチＯＮ／ＯＦＦ回路１３３は、異常監視部１３２からのスイッチ素子を特定したＯＮ／ＯＦＦ制御信号に基づいて複数のスイッチ素子を選択的に動作させる。
【００６８】
なお、電流検出部１２２、異常検出部１２４も、上述の電圧検出部１２３と同様、電流値異常、あるいは温度上昇等の異常が発生する可能性のある各部分に設けられる。例えば第１の電源（電源回路部ａ（待機用電源）１１１）および第２の電源（電源回路部ｂ（通常動作用電源）１１２）の各出力部に設けることで、それぞれの電源回路の異常を個別に判断し、異常である電源回路の入力部に設けたスイッチ素子１１３，１１４のいずれか一方をＯＦＦし、第１の電源（電源回路部ａ（待機用電源）１１１）または第２の電源（電源回路部ｂ（通常動作用電源）１１２）への交流電源を選択的に遮断することが可能となる。
【００６９】
なお、異常監視部１３２において異常と判断された場合は、コントローラ１０３に対して異常警報を出力する。すなわち、異常監視部１３２によって判定された異常発生部位情報を含む異常情報をコントローラ１０３に出力する。コントローラ１０３は入力情報に基づいてディスプレイ（図示せず）に異常状態の発生を示すメッセージ出力等を実行する。また、コントローラ１０３は、異常警報入力に基づいて、各スイッチ素子１１３，１１４の駆動信号を出力してもよい。
【００７０】
なお、コントローラ１０３自身が持つ安全監視プログラムに基づいて、各スイッチ素子１１３，１１４の駆動信号を出力して各電源回路に対する電力供給を停止することも可能である。
【００７１】
なお、リセットスイッチ駆動回路１３１を駆動させて電源装置１１０に対する電力を全体的に遮断するか、スイッチＯＮ／ＯＦＦ回路１３３を駆動させて、スイッチ素子１１３，１１４を遮断するかは選択的に実行可能であり、いずれを動作させるかは検出した異常の内容および異常の発生場所に基づいてあらかじめ定められたシーケンスに従って異常監視部１３２において判断され、判断に基づく制御が実行される。具体的な処理シーケンスの例については、図６のフローを参照して後段で詳細に説明する。
【００７２】
なお、異常検出部１２４は、上述の温度検出のみならず、半導体破損や定着装置などの温度異常による異臭を検知するにおい検知回路や、半導体などが破損するときに発せられる破裂音を検知する音検知回路、電気部品などが故障により発熱し発生する煙を検知する煙検知回路などによって構成され、各異常の発生可能性のある部位にそれぞれの異常検出素子が設置される。また、機器が寿命に達したときに異常として入力を遮断するために、異常監視部の判定を、使用時間に伴って上昇する様々な特性を検知して異常と判断しても良い。例えば部品の温度上昇速度が寿命ともに加速する部品（電解コンデンサなど）の温度検知値をメモリーして上昇速度が速くなったら異常と判定し、異常判定に基づいてリセットスイッチ１０２または、スイッチ素子１１３、１１４を動作させる構成としてもよい。
【００７３】
図１に示す構成により、様々な異常の発生した電源回路への電源供給を継続的に停止することができる。本構成によれば、電源回路での異常発生時に電源供給を確実に停止できるので、電源回路においては、定格負荷容量を越えた負荷容量に対応する回路構成とすることなく、定常負荷に対して最適である素子や部品を選定するだけで済みコストダウンが実現される。さらにプランジャによって動作するリセットスイッチ１０２のみならず、リレーやＦＥＴ等のスイッチ手段からなる各電源回路の入力段のスイッチ素子１１３，１１４のオフ処理により各電源回路の入力を遮断する構成であるため、異常発生からの電力遮断までの時間を短縮することが可能であり、また、異常個所に応じて選択的に第１の電源（電源回路部ａ（待機用電源）１１１）または第２の電源（電源回路部ｂ（通常動作用電源）１１２）への交流電源を遮断することが可能となる。
【００７４】
また、必要に応じて異常監視部１３２にタイマー回路を内蔵して、漏電検出部１２１、電圧検出部１２３、電流検出部１２２、異常検出部１２４からそれぞれ送られる異常信号の示す値が通常値を継続的に逸脱している期間を測定し、その測定された期間が所定の期間以上に達したとき、異常と判断し、異常のある回路を判断して、異常のある回路に接続されたスイッチ素子１１３、１１４のいずれかをスイッチＯＮ／ＯＦＦ回路１３３によって動作（ＯＦＦ）させて、異常のある回路に対する電力供給を遮断、あるいはリセットスイッチ駆動回路１３１を動作させてリセットスイッチ１０２をＯＦＦし、入力を遮断する構成としてもよい。本構成によれば、電源装置の起動時等に発生する過渡状態に起因する電源異常の誤検知を防止することができる。
【００７５】
本構成によれば、コントローラ１０３や図示しない駆動回路など、第１の電源（電源回路部ａ（待機用電源）１１１）または第２の電源（電源回路部ｂ（通常動作用電源）１１２）それぞれに接続された各負荷において異常が発生した場合も、動作検出部１２０の検出素子をそれぞれに配置することで、各位置の異常が容易に検出可能であり、このような異常時にも入力電源遮断を行なうことが可能となり、より高い安全性が確保される。
【００７６】
［実施例２］
図２は、本発明に係る電源装置の第２の実施例構成を示すブロック図である。この第２の実施例における電源装置２１０は、上述した第１の実施例の構成と同様、待機時に必要となる負荷例えば画像形成装置の制御を行うコントローラに電力を供給する電源回路部ａ（待機用電源）２１１と、モーター等画像形成等に必要な負荷へ電力を供給する電源回路部ｂ（通常動作用電源）２１２とを持つ複数の電源回路構成である。
【００７７】
上述した第１の実施例の構成と異なる点の１つは、スイッチ素子２０５を介してＡＣ電力調整回路２０４を設けたことである。また、実施例１では動作検出部、異常監視部、リセットスイッチ駆動回路、スイッチＯＮ／ＯＦＦ回路に対する動作電圧を、電源回路１１１から供給した構成としたが、実施例２では電源回路部ａ（待機用電源）２１１のＤＣ出力部のみならず、電源回路部ｂ（通常動作用電源）２１２のＤＣ出力部、およびＡＣ電力調整回路２０４のＡＣ出力部から整流用ダイオード２４１，２４２，２４３を介して動作検出部２２０、異常監視部２３２、リセットスイッチ駆動回路２３１、スイッチＯＮ／ＯＦＦ回路２３３に対する電力供給を可能とした構成を持つ。
【００７８】
従って、電源回路部ａ（待機用電源）２１１が故障しても、電源回路部ｂ（通常動作用電源）２１２のＤＣ出力、あるいはＡＣ電力調整回路２０４のＡＣ出力に基づいて動作検出部２２０、異常監視部２３２、リセットスイッチ駆動回路２３１、スイッチＯＮ／ＯＦＦ回路２３３を動作させることが可能となり、信頼性を高め冗長性をあげることが可能となる。
【００７９】
スイッチ素子２０５は、スイッチ素子２１３、２１４と同様リレーやＦＥＴ等のスイッチ手段からなり、ＡＣ電力調整回路２０４に対する入力電力のオンオフ設定を行う。コントローラ２０３からの制御信号、または、異常監視部２３２からの出力信号に基づいて動作するスイッチＯＮ／ＯＦＦ回路２３３によってオン／オフ制御がなされる。
【００８０】
動作検出部２２０には、実施例１と同様、漏電検出部２２１、電流検出部２２２、電圧検出部２２３、温度検出、におい検出など様々な異常を検出する異常検出部２２４が設けられている。これらの検出部は、それぞれの異常の発生の可能性がある箇所に散在して設置される。例えば電源回路部ａ（待機用電源）２１１、電源回路部ｂ（通常動作用電源）２１２、ＡＣ電力調整回路２０４の出力段に設けられ、各出力の異常を個別に検出し、検出異常に基づいて、異常監視部２３２がスイッチＯＮ／ＯＦＦ回路２３３に駆動信号を出力し、スイッチ素子２１３、２１４，２０５を選択的に遮断（ＯＦＦ）する。もちろん、実施例１と同様、異常監視部２３２がリセットスイッチ駆動回路２３１に駆動信号を出力し、リセットスイッチ２０２を遮断することも可能である。
【００８１】
なお、リセットスイッチ駆動回路２３１を駆動させて電源装置２１０に対する電力を全体的に遮断するか、スイッチＯＮ／ＯＦＦ回路２３３を駆動させて、スイッチ素子２１３，２１４，２０５を遮断するかは選択的に実行可能であり、いずれを動作させるかは検出した異常の内容および異常の発生場所に基づいてあらかじめ定められたシーケンスに従って異常監視部２３２において判断され、判断に基づく制御が実行される。
【００８２】
なお、さらに第３、第４…など複数の電源回路や負荷装置を接続し、それぞれの入力段にリレーやＦＥＴ等のスイッチ手段からなるスイッチ素子を設けることで高い安全性と省エネ性能の向上を実現できるシステムを組むことが可能である。
【００８３】
［回路構成例］
図３は、上述した実施例１，２における電源装置の回路構成を具体化して示した図である。電源回路ａ３１０は、高周波成分を除去する入力フィルタ回路３１１、入力信号の整流平滑処理を行う１次整流平滑回路３１２、トランス３１３、トランス出力制御のための制御信号、例えばパルス幅信号を出力する制御回路３１４、トランス３１３の一次側のスイッチング処理を実行するスイッチング素子３１５、およびトランス２次側において出力信号の整流平滑処理を行う２次整流平滑回路３１６を有する。電源回路ｂ３２０も電源回路ａ３１０と同様の構成である。
【００８４】
漏電検出部３５２は、リセットスイッチ３０２の前段もしくは後段に零相変流器（ＺＣＴ）３０３を設置し、交流入力電流の行きと帰りの電流の差を漏電検出部３５２にて検出し、その差があるレベル以上になった時に異常監視部３５５にて漏電と判断する。漏電と判断した場合、異常監視部３５５からリセットスイッチ駆動回路３５１に信号を送りリセットスイッチ３０２をＯＦＦし、また、各電源回路３１０，３２０，３３０の入力段に設けたスイッチ素子としてのリレー３６１，３６２，３６３をＯＦＦし、入力を遮断する。
【００８５】
リセットスイッチ駆動回路３５１を駆動させて電源装置に対する電力を全体的に遮断するか、スイッチＯＮ／ＯＦＦ回路３５６を駆動させて、リレー３６１，３６２，３６３を遮断するかは選択的に実行可能であり、いずれを動作させるかは検出した異常の内容および異常の発生場所に基づいてあらかじめ定められたシーケンスに従って異常監視部３５５が判断し、判断に基づく制御が実行される。
【００８６】
電流検出部３５３は、入力電流をカレントトランス３５７により検出し、異常監視部３５３に検出値を入力し、異常監視部３５３が異常な電流であるかを判断する。異常と判断した場合、異常監視部３５３からリセットスイッチ駆動回路３５１に信号を送りリセットスイッチ３０２をＯＦＦする。あるいは、各電源回路３１０，３２０，３３０の入力段に設けたスイッチ素子としてのリレー３６１，３６２，３６３をＯＦＦし、入力を遮断する。
【００８７】
このようにカレントトランス３５７により、瞬時的な異常電流を捕らえて入力を遮断する方法と同時に、異極のＡＣ入力ラインにサーキットブレーカ３０４を設置することで実効的（熱的）な過電流においては、サーキットブレーカ３０４を動作させ入力を遮断することができる。この２つの電流遮断方法により様々な電流異常に対して対応することが可能となる。
【００８８】
電圧検出部３５４は、例えば電源回路ａ３１０に対するＡＣ入力電圧を整流平滑する一次整流平滑回路３１２の平滑電圧を検出し、異常監視部３５５において異常な過電圧であるかを判断する。異常の場合、異常監視部３５５からリセットスイッチ駆動回路３５１に信号を送りリセットスイッチ３０２をＯＦＦする。あるいは、各電源回路３１０，３２０，３３０の入力段に設けたスイッチ素子としてのリレー３６１，３６２，３６３をＯＦＦし、入力を遮断する。
【００８９】
リセットスイッチ駆動回路３５１、漏電検出部３５２、電流検出部３５３、電圧検出部３５４、異常監視部３５５、スイッチＯＮ／ＯＦＦ回路３５６の動作電圧は電源回路ａ３１０におけるトランス３１３の一次側から供給される。トランス３１３の一次側で使用している低いＤＣ電圧、もしくは新たに必要となるＤＣ電圧を作って供給する。
【００９０】
図３に示すリセットスイッチ駆動回路３５１、漏電検出部３５２、電流検出部３５３、電圧検出部３５４、異常監視部３５５、スイッチＯＮ／ＯＦＦ回路３５６への電力供給構成は、実施例１の構成に対応する例である。これらの各部に対する電力は、実施例２のように、電源回路ａ３１０からのみならず、電源回路ｂ３２０、ランプ点灯装置３３０からも供給する構成としてもよい。
【００９１】
図４は、異常監視部、リセットスイッチ駆動回路、リセットスイッチの具体的回路構成例を示す図である。
【００９２】
漏電検出部における漏電検知時には零相変流器３０３に誘起される電圧がダイオード４２１、抵抗４２２を介してオペアンプ（ｏｐ  ａｍｐ１）４１１に入力され、オペアンプ（ｏｐ  ａｍｐ１）４１１に設定された閾値を超えるとオペアンプ（ｏｐ  ａｍｐ１）４１１の出力によりフォトカプラ４１２がＯＮしてリセットスイッチ３０２のコイル４１３を動作させてＡＣ入力を遮断する。
【００９３】
電流検出部における過電流検知時にはカレントトランス３５７に誘起される電圧がダイオード４４１、抵抗４４２を介してオペアンプ（ｏｐ  ａｍｐ２）４３１に入力され、オペアンプ（ｏｐ  ａｍｐ２）４３１に設定された閾値を超えるとオペアンプ（ｏｐ  ａｍｐ２）４３１の閾値を超えるとオペアンプ（ｏｐ  ａｍｐ２）４３１の出力によりフォトカプラ４１２がＯＮしてリセットスイッチ３０２のコイル４１３を動作させてＡＣ入力を遮断する。
【００９４】
電圧検出部における過電圧検知時の処理は以下の通りである。電源回路ａ３１０内部の一時整流平滑回路３１２により整流した電圧が規定より高いときにツェナーダイオード４５１が動作してフォトカプラ４５２がＯＮしてリセットスイッチ３０２のコイル４１３を動作させてＡＣ入力を遮断する。
【００９５】
なお、図４にはリセットスイッチ３０２の動作構成のみを示してあるが、各電源回路個別に設けられるリレー、ＦＥＴ等のスイッチ手段の動作制御は、各動作検出部からの信号に基づいて異常監視部が出力する出力信号をスイッチＯＮ／ＯＦＦ回路が受信し、スイッチＯＮ／ＯＦＦ回路が受信信号に基づいて各スイッチ素子の駆動信号を出力する制御シーケンスに従って実行される。
【００９６】
［処理シーケンス］
次に、本発明の電源装置の動作について、図５および図６のフローチャートを参照して説明する。図５は、本発明の電源装置の立ち上げから電源回路からの電力供給に基づく処理（プリント処理）を実行する場合の処理手順を示すフローである。図６は、異常判定処理の手順を示すフローである。なお、図５および図６とも、上述した実施例２において説明した図２の構成を持つ電源装置における処理例として説明する。
【００９７】
まず、図５の電源装置の立ち上げから処理の実行に関する処理手順について説明する。ステップＳ１０１において、リセットスイッチ２０２（図２参照）をＯＮする。これは、ユーザによって手動で処理される。ステップＳ１０２において、電源回路ａ（待機用電源）２１１に電力が供給される。なお、スイッチ素子２１３は、通常状態（デフォルト）でＯＮ状態に設定されている。
【００９８】
ステップＳ１０３において、電源回路ａ２１１から電力がコントローラ２０３に供給され、コントローラが立ち上げられる。ステップＳ１０４において、コントローラからの信号が出力され、スイッチ素子２１４がＯＮとなり、ステップＳ１０５において、電源回路ｂ（通常動作用電源）２１２に対して電力が供給される。
【００９９】
ステップＳ１０６において、コントローラからの信号が出力され、スイッチ素子２０５がＯＮとなり、ステップＳ１０７において、ＡＣ電力調整回路２０４に対して電力が供給される。
【０１００】
ステップＳ１０８においてプリント開始がなされたか否かが判定され、プリント開始がなされた場合は、ステップＳ１０９において、電源回路ｂ（通常動作用電源）２１２を介して各プリント処理部に対する電力が供給されてプリント動作が実行される。ステップＳ１１０において、プリント完了と判定すると、ステップＳ１０８に戻る。
【０１０１】
ステップＳ１０８において、プリントが開始されない場合は、ステップＳ１１１に進み待機状態に移行するか否かを判定する。判定処理は、予め定められた時間、非動作状態が継続した場合に待機状態に移行するとの判定処理としてコントローラが実行する。待機状態に移行する場合は、ステップＳ１１２に進み、ＡＣ電力調整回路２０４の前段に設けられたスイッチ素子２０５をコントローラ２０３からの信号に基づいてＯＦＦして、ステップＳ１１３において、ＡＣ電力調整回路２０４に対する電力供給を停止する。
【０１０２】
さらに、ステップＳ１１４において、電源回路ｂ（通常動作用電源）２１２の前段に設けられたスイッチ素子２１４をＯＦＦし、ステップＳ１１５において、電源回路ｂ（通常動作用電源）２１２に対する電力供給を停止する。ステップＳ１１６では、復帰信号の有無を判定し、復帰信号があった場合は、ステップＳ１０４に進み、電源回路ｂ（通常動作用電源）２１２の前段に設けられたスイッチ素子２１４をＯＮし、以下ステップＳ１０５以下を繰り返し実行する。復帰信号は、コントローラが、例えばプリント開始等のユーザ入力に基づいてコントローラ内部で発生する信号である。
【０１０３】
次に、図６を参照して本発明の電源装置において実行する異常判定処理の手順について説明する。本フローも上述した実施例２（図２）を参照して説明する。
【０１０４】
ステップＳ２０１において、異常監視部２３２が動作検出部２２０からの入力に基づいて異常の有無および位置を判定する。なお、上述した実施例中でも説明したように、過電圧、過電流、温度上昇等の異常検出部は、電源装置の各部に設けられており、異常監視部は、各異常検出部からの入力に基づいて異常発生箇所を判定する。
【０１０５】
ステップＳ２０１では、まず、漏電、入力過電圧、入力過電流の発生の有無が判定される。これらの異常状態にないと判定されると、ステップＳ２０２に進み、電源回路ａ（待機用電源）２１１の異常の有無を判定する。この異常判定は、電源回路ａ２１１内部あるいは出力に対して設けられた電流検出部２２２、電圧検出部２２３、異常検出部２２４からの入力信号に基づいて異常監視部２３２が判定する。
【０１０６】
電源回路ａ２１１に異常有りと判定すると、ステップＳ２０３において、電源回路ａ（待機用電源）２１１の前段に設けられたスイッチ素子２１３にスイッチＯＮ／ＯＦＦ回路２３３から信号を出力し、スイッチ素子２１３をＯＦＦとして、ステップＳ２０４において、電源回路ａ（待機用電源）２１１に対する電力供給を停止する。さらに、ステップＳ２０５において、異常監視部２３２からコントローラ２０３に異常警報が通知され、コントローラ２０３では、電源回路ａに異常が発生したことを示すエラーメッセージ表示等の警告出力を行う。
【０１０７】
ステップＳ２０２において、電源回路ａ２１１に異常なしと判定した場合、または、ステップＳ２０５の処理が実行された場合は、ステップＳ２０６に進み、電源回路ｂ（通常動作用電源）２１２の異常の有無を判定する。この異常判定は、電源回路ｂ２１２内部あるいは出力に対して設けられた電流検出部２２２、電圧検出部２２３、異常検出部２２４からの入力信号に基づいて異常監視部２３２が判定する。
【０１０８】
電源回路ｂ２１２に異常有りと判定すると、ステップＳ２０７において、電源回路ｂ２１２の前段に設けられたスイッチ素子２１４にスイッチＯＮ／ＯＦＦ回路２３３から信号を出力し、スイッチ素子２１４をＯＦＦとして、ステップＳ２０８において、電源回路ｂ２１２に対する電力供給を停止する。さらに、ステップＳ２０９において、異常監視部２３２からコントローラ２０３に異常警報が通知され、コントローラ２０３では、電源回路ｂに異常が発生したことを示すエラーメッセージ表示等の警告出力を行う。
【０１０９】
ステップＳ２０６において、電源回路ｂ２１２に異常なしと判定した場合、または、ステップＳ２０９の処理が実行された場合は、ステップＳ２１０に進み、ＡＣ電力調整回路２０４の異常の有無を判定する。この異常判定は、ＡＣ電力調整回路２０４内部あるいは出力に対して設けられた電流検出部２２２、電圧検出部２２３、異常検出部２２４からの入力信号に基づいて異常監視部２３２が判定する。
【０１１０】
ＡＣ電力調整回路２０４に異常有りと判定すると、ステップＳ２１１において、ＡＣ電力調整回路２０４の前段に設けられたスイッチ素子２０５にスイッチＯＮ／ＯＦＦ回路２３３から信号を出力し、スイッチ素子２０５をＯＦＦとして、ステップＳ２１２において、ＡＣ電力調整回路２０４に対する電力供給を停止する。さらに、ステップＳ２１３において、異常監視部２３２からコントローラ２０３に異常警報が通知され、コントローラ２０３では、ＡＣ電力調整回路２０４に異常が発生したことを示すエラーメッセージ表示等の警告出力を行う。
【０１１１】
ステップＳ２０１において、漏電、入力過電圧、入力過電流の発生ありと異常監視部２３２が判定した場合は、ステップＳ２２２に進み、異常監視部からの信号をリセットスイッチ駆動回路２３１に出力し、リセットスイッチ２０２をＯＦＦし、ステップＳ２２３において、電源回路ａ（待機用電源）２１１の前段に設けられたスイッチ素子２１３にスイッチＯＮ／ＯＦＦ回路２３３から信号を出力し、スイッチ素子２１３をＯＦＦとして、ステップＳ２２４において、電源回路ａ（待機用電源）２１１に対する電力供給を停止する。
【０１１２】
さらに、ステップＳ２２５において、電源回路ｂ（通常動作用電源）２１２の前段に設けられたスイッチ素子２１４をＯＦＦし、ステップＳ２２６において、電源回路ｂ（通常動作用電源）２１２に対する電力供給を停止する。
【０１１３】
さらに、ステップＳ２２７において、ＡＣ電力調整回路２０４の前段に設けられたスイッチ素子２０５にスイッチＯＮ／ＯＦＦ回路２３３から信号を出力し、スイッチ素子２０５をＯＦＦとして、ステップＳ２２８において、ＡＣ電力調整回路２０４に対する電力供給を停止する。
【０１１４】
なお、ステップＳ２２２〜Ｓ２２８の処理順は、このフローのようなシーケンスで実行することは必須ではなく、例えば異常監視部２３２から、リセットスイッチ２０２、および全てのスイッチ素子２１３，２１４，２０５をＯＦＦするための制御信号をリセットスイッチ駆動回路２３１、スイッチＯＮ／ＯＦＦ回路２３３に一斉出力し、各処理を並列に実行してもよい。
【０１１５】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１１６】
【発明の効果】
以上、記述したように本発明の電源装置によれば、動作検出部、異常監視部等に対する電力を待機用電源回路から出力する構成とし、動作検出部において電源回路の動作状態を監視し、動作状態に異常が発生していることを検出した際に、異常監視部の判定に基づいてリセットスイッチを動作させて、交流電源の電源回路への供給停止を可能とするとともに、異常監視部の異常発生部位判定に応じて、各電源回路の前段に設けた高速応答可能なスイッチ素子を選択的に動作させることを可能としたので、電源回路個別の電力供給の停止処理を高速に実行することが可能となり、より強固な安全性維持が実現される。
【０１１７】
さらに、本発明の構成によれば、動作検出部、異常監視部等に対する電力を待機用電源回路から出力する構成としたので、異常監視部に対する独自の電源供給構成を設ける必要がなくなりコストダウン、省エネが実現される。
【０１１８】
さらに、本発明の構成によれば、各電源回路前段に設けるスイッチ素子をリレースイッチ、ＦＥＴ等の高速応答性を持つ素子によって構成したので、異常検出から電力遮断での時間の短縮が図れ、より安全性を高めることが可能となる。
【０１１９】
さらに、本発明の構成によれば動作検出部、異常監視部等に対する電力を待機用電源回路と、通常動作用電源回路、ＡＣ電力調整回路等の複数の電源回路から供給する構成としたので、複数の電源回路中のいずれかに対する電力供給が停止された場合でも異常検出および各スイッチのＯＮ／ＯＦＦ制御が可能となりより高い安全性が確保される。
【図面の簡単な説明】
【図１】本発明の電源装置の構成例（実施例１）を示す図である。
【図２】本発明の電源装置の構成例（実施例２）を示す図である。
【図３】本発明の電源装置の構成例における具体的回路構成例を示す図である。
【図４】本発明の電源装置の構成例における具体的回路構成例を示す図である。
【図５】本発明の電源装置における立ち上げ、動作処理シーケンスを説明するフローチャートを示す図である。
【図６】本発明の電源装置における異常判定処理シーケンスを説明するフローチャートを示す図である。
【図７】従来の電源装置の構成例を示す図である。
【符号の説明】
１０１  入力端子、１０２  リセットスイッチ、
１０３  コントローラ、１１０  電源装置、
１１１  電源回路部ａ（待機用電源）、
１１２  電源回路部ｂ（通常動作用電源）
１１３，１１４  スイッチ素子
１２０  動作検出部、１２１  漏電検出部
１２２  電流検出部、１２３  電圧検出部
１２４  異常検出部、１３１  リセットスイッチ駆動回路
１３２  異常監視部、１３３  スイッチＯＮ／ＯＦＦ回路
２０１  入力端子、２０２  リセットスイッチ、
２０３  コントローラ、２０４  ＡＣ電力調整回路
２０５  スイッチ素子、２１０  電源装置、
２１１  電源回路部ａ（待機用電源）、
２１２  電源回路部ｂ（通常動作用電源）
２１３，２１４  スイッチ素子
２２０  動作検出部、２２１  漏電検出部
２２２  電流検出部、２２３  電圧検出部
２２４  異常検出部、２３１  リセットスイッチ駆動回路
２３２  異常監視部、２３３  スイッチＯＮ／ＯＦＦ回路
３０１  入力端子、３０２  リセットスイッチ
３０３  零相変流器、３０４  サーキットブレーカ
３１０  電源回路、３１１  入力フィルタ
３１２  １次整流平滑回路、３１３  トランス
３１４  制御回路、３１５  スイッチング素子、
３１６  ２次整流平滑回路、３２０  電源回路ｂ
３３０  ランプ点灯装置、３５１  リセットスイッチ駆動回路
３５２  漏電検出部、３５３  電流検出部、３５４  電圧検出部
３５５  異常検出部、３５６  スイッチＯＮ／ＯＦＦ回路
３５７  カレントトランス、
３６１，３６２，３６３  リレースイッチ
４１１  オペアンプ、４１２  フォトカプラ
４２１  ダイオード、４２２  抵抗
４３１  オペアンプ、４４１  ダイオード
４４２  抵抗、４５１  ツェナーダイオード
４５２  フォトカプラ、
５０１  入力端子、５０２  電源スイッチ
５０３，５０４  スイッチ素子、５１１  電源回路ａ
５１２  電源回路ｃ、５１３  ＡＣ電力調整回路
５２０  コントローラ、５２１  異常監視部
【図１】
2004274888.tif 000003
【図２】
2004274888.tif 000004
【図３】
2004274888.tif 000005
【図４】
2004274888.tif 000006
【図５】
2004274888.tif 000007
【図６】
2004274888.tif 000008
【図７】
2004274888.tif 000009